(57)【特許請求の範囲】
【請求項１】
響板を有する中空状のボディと、前記響板の内面に付設される響棒と、前記響棒に固定される振動センサと、前記ボディに連結され、前記響板の一端側から延びるネックとを備え、
前記響棒が、前記響板の内面の中央部でＸ状に結合される第一棒及び第二棒を有し、
前記第一棒及び第二棒の結合部分を前記ネックの中心軸が通り、
前記振動センサが、前記第一棒又は第二棒に固定される弦楽器。
【請求項２】
響板を有する中空状のボディと、前記響板の内面に付設される響棒と、前記響棒に固定される振動センサと、前記ボディに連結され、前記響板の一端側から延びるネックとを備え、
前記響棒が、前記響板の内面の中央部でＸ状に結合される第一棒及び第二棒を有し、
前記第一棒及び第二棒の結合部分を前記ネックの中心軸が通り、
前記響棒が、前記第一棒の内面側に一端が固定され、かつ他端が前記ネックの中心軸方向に向けて延びる第三棒及び第四棒をさらに有し、
前記第四棒が、前記第三棒より外側に設けられ、
前記振動センサが、前記第四棒に固定される弦楽器。
【発明の詳細な説明】
【技術分野】
【０００１】
本発明は、弦楽器に関する。
【背景技術】
【０００２】
従来、弦の振動を電気信号に変換して出力するエレクトリックアコースティックギター等の弦楽器が存在している。このような弦楽器は、一般に響板を有する中空状のボディと、この響板の表面に設けられるブリッジと、複数の弦を支持するサドルとを備える。また、前記ブリッジは、響板の裏面に設けられるプレートと響板を挟んで連結されることによって響板の表面に固定される。このような弦楽器は、弦の振動がボディに伝わって共鳴することによって演奏音を放音可能に構成されている。
【０００３】
また、このような弦楽器は、弦の振動を電気信号に変換して出力するための振動センサを備えている。このような振動センサは、今日ではサドルの裏面、響板の表裏面又はブリッジを固定するプレートの裏面に配置されている。
【０００４】
サドルの裏面に配置される振動センサを有する弦楽器としては、例えば特開２００８−３０４５５８号公報に開示される電子弦楽器がある。この電子弦楽器は、サドルと響板との間に振動センサが挿入されるもので、サドルに伝達される振動を振動センサによって検出可能とされている。しかしながら、このようにサドルと響板との間に振動センサを配置すると、振動が響板に伝わる経路に振動センサが介在することになるため、響板の特性を含む振動を検出することが困難であると共に、この振動センサが弦と響板との間に介在することにより、振動が響板に伝わるのを阻害するおそれがある。また、この弦楽器は、振動センサが弦を支持するサドルの裏面に挿入されるので、振動センサに対して常に弦の圧力が加えられることとなり、振動センサは常に圧縮された状態となる。そのため、この弦楽器は、振動センサによって出力される信号の減衰が不自然に早められ、本来の振動に基づく余韻感が得られないおそれがある。
【０００５】
また、響板の表裏面に配置される振動センサを有する弦楽器としては、例えば特開平６−１２０６４号公報に開示される電子弦楽器がある。この電子弦楽器は、響板の表面に摺動可能に配置される振動センサを有するので、響板表面の振動を検出可能とされている。しかしながら、この電子弦楽器は、振動センサが響板表面に密接して配置されているため、この振動センサの存在によって響板の振動が阻害されるおそれが高い。そのため、この電子弦楽器は、響板の特性を含んだ振動を振動センサによって的確に検出できないおそれが高い。また、この電子弦楽器は、最も振動しやすい部位に振動センサが密接されるので、ハウリングが発生するおそれが高い。さらに、この電子弦楽器は、響板が実際に振動した後で電気信号が出力されるものであるため、弦の振動に対する応答が遅くなるおそれがある。
【０００６】
さらに、ブリッジに連結されるプレートの裏面に振動センサを配置することも考えられる。しかしながら、ブリッジに連結されるプレートは、通常ブリッジを響板表面に的確に固定する必要性から、響板とは異なる硬質材料を用いて形成されている。そのため、このプレートから伝わる振動は、響板の振動とは異質となる可能性が高く、このようなプレートの裏面に振動センサを配置しても響板の特性を含んだ振動を的確に検出できないおそれが高い。
【先行技術文献】
【特許文献】
【０００７】
【特許文献１】特開２００８−３０４５５８号公報
【特許文献２】特開平６−１２０６４号公報
【発明の概要】
【発明が解決しようとする課題】
【０００８】
本発明はこのような事情に鑑みてなされたものであり、本発明の目的は、響板の振動を阻害するのを抑制すると共に、響板の振動を的確に検出して電気信号に変換することができる弦楽器を提供することにある。
【課題を解決するための手段】
【０００９】
前記課題を解決するためになされた本発明は、響板を有する中空状のボディと、前記響板の内面に付設される響棒と、前記響棒に固定される振動センサとを備える弦楽器である。
【００１０】
当該弦楽器は、響板の内面に付設される響棒に振動センサを固定する。当該弦楽器は、振動センサが直接響板に取り付けられないため、振動センサによって響板の振動を阻害するおそれが少ない。また、当該弦楽器は、響板の内面に付設される響棒に振動センサが固定され、弦の振動が響板に伝えられる伝達経路に振動センサが介在されないため、弦から響板への振動の伝達が振動センサによって阻害されるおそれが少ない。そのため、当該弦楽器は、弦の振動に近い振動を響板に伝達しつつ、この響板の特性を含んだ振動を振動センサによって的確に検出して電気信号に変換することができる。また、一般に響板に対する弦の振動は、響棒によって内面から支持された部位に対して比較的素早く伝わる傾向がある。そのため、当該弦楽器は、このように弦の振動が素早く伝達される部位の内面に付設される響棒に振動センサを固定することによって、弦の振動に近い立ち上がりの早い振動を的確に検出して電気信号に変換することができる。
【００１１】
前記振動センサと前記響板とが離れているとよい。このように、前記振動センサと前記響板とが接触していないことによって、振動センサ及び響板の接触に基づいて響板の振動が阻害されるのを防止し、響板の特性を含んだ振動を振動センサによってさらに的確に検出することができる。
【００１２】
前記振動センサの固定箇所が前記響棒の裏面側であるとよい。このように、前記振動センサの固定箇所が前記響板の裏面側とされることによって、響板の振動をさらに的確に検出することができる。
【００１３】
前記振動センサが前記響板の厚み方向に振幅する振動を検出するとよい。このように、前記振動センサが前記響板の厚み方向に振幅する振動を検出することによって、弦から響板へ伝達される振動を容易かつ確実に検出することができる。
【００１４】
前記響棒が、前記響板の内面の中央部でＸ状に結合される第一棒及び第二棒を有し、前記振動センサが前記第一棒又は第二棒に固定されるとよい。このように、前記振動センサが、前記響板の内面の中央部でＸ状に結合される第一棒又は第二棒に固定されることによって、弦の振動が前記振動センサに素早く伝達され易い。そのため、弦の振動に近い立ち上がりの早い鋭い音を前記振動センサによって素早く検出して出力することができる。
【発明の効果】
【００１５】
以上説明したように、本発明の弦楽器は、響板の振動を阻害するのを抑制すると共に、響板の振動を的確に検出して電気信号に変換することができる。
【図面の簡単な説明】
【００１６】
【図１】本発明の第一実施形態に係る弦楽器を示す模式的斜視図である。
【図２】図１の弦楽器の響板の内面側を示す模式的平面図である。
【図３】図１の弦楽器とは異なる形態に係る弦楽器の響板の内面側を示す模式的平面図である。
【図４】振動センサの固定態様を示す模式的斜視図である。
【図５】図１及び図３の弦楽器とは異なる形態に係る弦楽器の響板の内面側を示す模式的平面図である。
【図６】振動センサの固定箇所を示す模式的平面図である。
【図７】振動センサの固定箇所と弦の振動の応答特性との関係を示すグラフである。
【発明を実施するための形態】
【００１７】
以下、適宜図面を参照しつつ、本発明の実施の形態を詳説する。
【００１８】
［第一実施形態］
＜弦楽器＞
図１及び図２の弦楽器１は、響板２を有する中空状のボディ３と、響板２の内面に付設される響棒４と、響棒４に固定される振動センサ５とを主に備える。また、弦楽器１は、ボディ３に連結され、響板２の一端側から延びるネック６と、ネック６の一端側に設けられるヘッド７と、響板２の外面に設けられるブリッジ８と、ブリッジ８の表面に設けられるサドル９と、ヘッド７及びサドル９に懸架される複数の弦１０とを備える。複数の弦１０は、ヘッド７に設けられる複数のペグ１１に一端側が巻きつけられて固定され、かつ他端側がサドル９に支持された上、ブリッジ８に設けられる複数のピン１２に固定されている。弦楽器１は、弦１０の振動を振動センサ５によって電気信号に変換して出力するエレクトリックアコースティックギターとして構成されている。
【００１９】
（ボディ）
ボディ３は、対向する響板２及び裏板１３並びに側板１４を有する。響板２は、ネック６の他端とブリッジ８との間に響孔１５を有する。ボディ３の形成材料としては、特に限定されないが、典型的には木材が用いられる。
【００２０】
響板２の形成材料としては、例えばスプルース等の針葉樹や、メープル、シデ等の広葉樹が挙げられる。また、響板２の形成材料としては、スプルース、メープル、シデ等を突き板として用いた合板等も用いることができる。
【００２１】
図２に示すように、響板２の内面には、複数の響棒４が付設されている。また、響板２の内面には、響板２を挟んでブリッジ８と対向する位置に配置されるプレート１６と、響板２の強度を補強するための補強板１７とが設けられている。ブリッジ８及びプレート１６は、響孔１５を挟んでヘッド７と対向する位置に設けられている。
【００２２】
響棒４は、響板２の内面に付設されて響板２の強度を高める。響棒４は、響板２の内面の中央部でＸ状に結合される第一棒４ａ及び第二棒４ｂを含む。また、第一棒４ａ及び第二棒４ｂは、各端部が響板２の内面の端縁付近に固定される。詳細には、第一棒４ａ及び第二棒４ｂは、響孔１５とプレート１６との間において結合されている。また、第一棒４ａ及び第二棒４ｂの結合部分をネック６の中心軸が通っている。さらに、第一棒４ａ及び第二棒４ｂは、ネック６の中心軸に対して対称に配置されている。また、響棒４は、プレート１６よりも外側位置において第一棒４ａの内側面に一端が固定され、かつ他端がネック６の中心軸方向に向けて延びる第三棒４ｃと、第三棒４ｃよりも外側位置において第一棒４ａの内側面に一端が固定され、かつ他端がネック６の中心軸方向に向けて延びる第四棒４ｄとを含む。
【００２３】
響棒４の形成材料としては、特に限定されないが、典型的には木材が用いられる。響棒４の形成材料として用いられる木材としては、響板２の形成材料と同様のものが挙げられる。
【００２４】
プレート１６は、響板２を介してブリッジ８と連結されることで、ブリッジ８を響板２の表面に固定する。プレート１６は、響孔１５側に短底辺が位置する平面視略台形の平板状に形成され、ネック６の中心軸に対して対向配置される両斜辺において第一棒４ａ及び第二棒４ｂと接する。
【００２５】
（振動センサ）
振動センサ５は、響棒４の裏面側に固定されている。具体的には、振動センサ５は、第一棒４ａのプレート１６と隣接する部分の裏面側に固定されている。つまり、振動センサ５と響板２とは離れている。また、振動センサ５は、響板２の厚み方向に振幅する振動を検出する。振動センサ５を響棒４に固定する方法としては、特に限定されるものではなく、例えば粘着テープや接着剤等で固定する方法が挙げられる。なお、「響棒の裏面」とは、響棒の響板と接する面の反対側の面をいう。
【００２６】
振動センサ５の種類としては、響板２の厚み方向に振幅する振動を検出できる限り特に限定されるものではなく、例えば歪みセンサ、多孔質センサ、加速度センサ等が挙げられる。
【００２７】
前記歪みセンサとしては、特に限定されるものではなく、例えば圧電膜の両面を一対の電極で挟み込んだ構造のものが挙げられる。前記圧電膜の形成材料としては、例えばチタン酸ジルコン酸鉛（ＰＺＴ）等のセラミックやポリフッ化ビニリデン（ＰＶＤＦ）等の合成樹脂が挙げられる。また、前記電極の形成材料としては、例えばステンレス、チタン（Ｔｉ）、シリコン（Ｓｉ）、カーボン（Ｃ）等が挙げられる。
【００２８】
前記多孔質センサとしては、例えば多孔質ピエゾフィルムの両面を一対の電極で挟み込んだ構造のものが挙げられる。前記多孔質ピエゾフィルムとしては、例えば多孔質ポリエチレンフィルム、多孔質ポリプロピレンフィルム等の多孔質ポリオレフィンフィルムや、多孔質フッ素樹脂フィルム等が挙げられる。
【００２９】
前記加速度センサとしては、特に限定されるものではなく、例えば機械式、光学式、半導体式のいずれを採用してもよい。前記機械式としては、コイルばねや板ばねを用いるものが挙げられる。前記光学式としては、光センサを用いるものが挙げられる。前記半導体式としては、静電容量型、ピエゾ抵抗型、ガス温度分布型等が挙げられる。また、前記加速度センサとしては、１軸加速度センサ、２軸加速度センサ又は３軸加速度センサのいずれを用いてもよい。
【００３０】
なお、振動センサ５としては、前述の歪みセンサ、多孔質センサ、加速度センサ等が採用可能であるが、響板２の厚み方向に振幅する振動を的確に検出する点からは、前記多孔質センサ又は１軸加速度センサが好ましい。
【００３１】
振動センサ５の形状及び大きさとしては、響板２と離れた状態で響棒４と固定可能である限り特に限定されるものではない。振動センサ５の形状及び大きさとしては、例えば響棒４に固定される側の面の長手方向平均長さが１ｃｍ以上２０ｃｍ以下、響棒４に固定される側の面の短手方向平均長さが１ｃｍ以上３ｃｍ以下、平均厚みが１０μｍ以上２ｃｍ以下程度の直方体状とすることができる。
【００３２】
＜利点＞
当該弦楽器１は、響板２の内面に付設される響棒４に振動センサ５を固定する。当該弦楽器１は、振動センサ５が直接響板２に取り付けられないため、振動センサ５によって響板の振動を阻害するおそれが少ない。また、当該弦楽器１は、響板２の内面に付設される響棒４に振動センサ５が固定され、弦１０の振動が響板２に伝えられる伝達経路に振動センサ５が介在されないため、弦１０から響板２への振動の伝達が振動センサ５によって阻害されるおそれが少ない。そのため、当該弦楽器１は、弦１０の振動に近い振動を響板２に伝達しつつ、この響板２の特性を含んだ振動を振動センサ５によって検出して的確に電気信号に変換することができる。また、一般に響板２に対する弦１０の振動は、響棒４によって内面から支持された部位に対して比較的素早く伝わる傾向がある。そのため、当該弦楽器１は、このように弦１０の振動が素早く伝達される部位の内面に付設される響棒４に振動センサ５を固定することによって、弦１０の振動に近い立ち上がりの早い振動を的確に検出して電気信号に変換することができる。
【００３３】
当該弦楽器１は、振動センサ５と響板２とが離れているので、振動センサ５及び響板２の接触に基づいて響板２の振動が阻害されるのを防止し、響板２の特性を含んだ振動を振動センサ５によってさらに的確に検出することができる。
【００３４】
当該弦楽器１は、振動センサ５の固定箇所が響板２の裏面側とされているので、振動センサ５と響板２とが接触するのを的確に防止すると共に、響板２の厚み方向の振動を容易かつ確実に検出することができる。その結果、当該弦楽器１は、響板２の振動をさらに的確に検出することができる。
【００３５】
当該弦楽器１は、振動センサ５が響板２の厚み方向に振幅する振動を検出することができるので、弦１０から響板２へ伝達される振動を容易かつ確実に検出することができる。特に、当該弦楽器１は、振動センサ５と響板２とが離れているので、響板２の厚み方向の振動を振動センサ５が阻害するおそれが低い。そのため、当該弦楽器１は、響板２の厚み方向に振幅する振動を振動センサ５によって検出することで、響板２の特性を含んだ信号を容易かつ確実に検出することができる。
【００３６】
当該弦楽器１は、響棒４の中でも響板２の強度を強く補強するために用いられる第一棒４ａに振動センサ５が固定されているので、弦１０の振動がブリッジ８を介して振動センサ５に素早く伝達され易い。そのため、当該弦楽器１は、弦１０の振動に近い立ち上がりの早い鋭い音を振動センサ５によって素早く検出して出力することができる。また特に、当該弦楽器１は、振動センサ５が第一棒４ａのプレート１６と隣接する部分に固定されているので、弦１０の振動に近い立ち上がりの早い鋭い音を振動センサ５によってさらに的確に検出して出力することができる。なお、当該弦楽器１では、振動センサ５が第一棒４ａに固定される構成としたが、振動センサ５は第二棒４ｂに固定されてもよい。当該弦楽器１は、振動センサ５が第二棒４ｂに固定される場合でも、第一棒４ａに固定する場合と同様の効果を奏することができる。
【００３７】
当該弦楽器１は、振動センサ５が響棒４に固定されているので、振動センサ５から延び、振動センサ５によって変換された電気信号を外部に送るためのリード線（図示せず）を響棒４に沿って配置し易い。そのため、当該弦楽器１は、前記リード線と響板２とが接触するのを抑制することができ、ひいては前記リード線と響板２との接触に起因して響板２の振動が阻害されるのを抑制することができる。
【００３８】
［第二実施形態］
＜弦楽器＞
図３の弦楽器２１は、響板２を有する中空状のボディ３と、響板２の内面に付設される響棒４と、響棒４に固定される振動センサ２２とを主に備える。図３の弦楽器２１は、振動センサ２２の固定箇所が異なる以外、図１の弦楽器１と同様の構成を有する。そのため、振動センサ２２以外については、図１の弦楽器１と同一符号を付して説明を省略する。
【００３９】
（振動センサ）
振動センサ２２は、響棒４の裏面側に固定されている。具体的には、振動センサ２２は、プレート１６よりも外側位置において第一棒４ａの内側面に一端が固定され、かつ他端がネック６の中心軸方向に向けて延びる第三棒４ｃ及び第四棒４ｄのうち、外側に設けられる第四棒４ｄの裏面側に固定されている。つまり、振動センサ２２と響板２とは離れている。また、振動センサ２２は、響板２の厚み方向に振幅する振動を検出する。振動センサ２２を響棒４に固定する方法としては、特に限定されるものではなく、例えば粘着テープや接着剤等で固定する方法が挙げられる。
【００４０】
＜利点＞
当該弦楽器２１は、振動センサ２２が第四棒４ｄに固定されているので、ブリッジを介して響板２に伝えられる弦の振動を的確に検出することができる。また、当該弦楽器２１は、振動センサ２２の固定箇所がプレート１６から比較的離れていることに基づいて、響板２の振動に基づく余韻感を含んだ信号を出力することができる。
【００４１】
［その他の実施形態］
なお、本発明に係る弦楽器は、前記態様の他、種々の変更、改変を施した態様で実施することができる。例えば、前記響棒に固定される前記振動センサは、必ずしも１個である必要はなく、２個以上の振動センサが前記響棒に固定されてもよい。また、前記響棒に複数の振動センサが固定される場合、少なくとも１個の振動センサが前記響板の厚み方向に振幅する振動を検出可能である限り、他の振動センサの振動検出方向については特に限定されない。
【００４２】
当該弦楽器は、前記響棒に固定される前記振動センサと共に、前記響棒以外の箇所に固定される他の振動センサを有していてもよい。前記響棒以外の箇所に固定される他の振動センサの固定箇所としては、特に限定されるものではなく、例えば前記響板の表面又は裏面、前記ブリッジを固定する前記プレートの裏面等が挙げられる。
【００４３】
前記響棒に対する前記振動センサの固定箇所は、特に限定されるものではない。前記振動センサの固定箇所としては、例えば前記響孔及び前記プレート間における前記第一棒又は前記第二棒の裏面側や、前記第三棒の裏面側等が挙げられる。当該弦楽器は、前記振動センサの固定箇所を選択することによって種々の音色の電気信号を出力することができる。例えば、当該弦楽器は、前記振動センサを前記響孔及び前記プレート間における前記第一棒又は前記第二棒の裏面側に固定することによって、前記響板の特性を含み、胴鳴り感が向上された音を出力することができる。
【００４４】
また、振動センサ３１は、図４（ａ）、（ｃ）に示すように、響棒３２の裏面側に固定されてもよく、また図４（ｂ）、（ｄ）に示すように、響棒３２の側面側に固定されてもよい。さらに、振動センサ３１の固定手段としては、図４（ａ）、（ｂ）に示すように、響棒３２に直接固定してもよく、図４（ｃ）、（ｄ）に示すように、支持部材３３、３４を介して固定してもよい。当該弦楽器は、響板の振動を的確に検出するためには振動センサ３１を響棒３２の裏面に直接固定するのが好ましい。一方、当該弦楽器は、振動センサ３１を響棒３２の側面に直接固定することによって、従来の固定箇所（サドルの裏面、響板の表裏面又はブリッジを固定するプレートの裏面）によっては検出困難であったモードの振動を検出し易くなる。また、当該弦楽器は、振動センサ３１を支持部材３３、３４を介して響棒３２に固定することによって、振動センサ３１を安定的に響棒３２に固定することができる。特に、振動センサ３１を支持部材３４を介して響棒３２の側面側に固定するようにすれば、振動センサ３１と響板とが接触するのを防止できる。
【００４５】
当該弦楽器における響棒の配置パターンは、特に限定されるものではない。当該弦楽器の響棒は、例えば図５（ａ）に示すように、響孔４１の周囲を覆う複数の棒４２ａ〜４２ｄと、響孔４１の周囲を覆うこれら複数の棒４２ａ〜４２ｄのうちブリッジ配置側に設けられる棒４２ｄの側面からブリッジ配置方向に延びる複数の棒４２ｅ〜４２ｊを有していてもよく、また図５（ｂ）に示すように、響孔４６に対して対向して互いに平行に設けられる複数の棒４７ａ〜４７ｃと、響孔４６に対向して設けられる複数の棒４７ａ〜４７ｃのうちブリッジ配置側に設けられる棒４７ｃの側面からブリッジ配置方向に延びる複数の棒４７ｄ〜４７ｉと、これら複数の棒４７ｄ〜４７ｉを両端側から挟むよう設けられる複数の棒４７ｊ〜４７ｌを有していてもよい。
【００４６】
当該弦楽器としては、前述のエレクトリックアコースティックギターの他、響棒を備える種々の弦楽器が挙げられ、例えばクラシックギター、ヴァイオリン、チェロ、マンドリン等種々の弦楽器が挙げられる。
【実施例】
【００４７】
以下、実施例によって本発明をさらに具体的に説明するが、本発明は以下の実施例に限定されるものではない。
【００４８】
［実施例１］
対向する響板及び裏板並びに側板を有する中空状のボディと、前記響板の内面に付設される響棒と、前記ボディに連結され、前記響板の一端側から延びるネックと、前記ネックの一端側に設けられるヘッドと、前記響板の外面に設けられるブリッジと、前記ブリッジの表面に設けられるサドルと、前記ヘッド及び前記サドルに懸架される複数の弦とを備え、前記響板の前記ネックの他端及び前記ブリッジの間に響孔を有する弦楽器本体を用意した。前記ブリッジは、前記響板を挟んで対向する位置に設けられるプレートと連結されることで前記響板の表面に固定される構成とした。また、図６に示すように、前記響棒は、響孔５１とプレート５２との間において交叉されると共に、各端部が響板５３の端縁付近に固定される第一棒５４ａ及び第二棒５４ｂと、プレート５２よりも外側位置において第一棒５４ａの内側面に一端が固定され、かつ他端が前記ネックの中心軸方向に向けて延びる第三棒５４ｃと、第三棒５４ｃよりも外側位置において第一棒５４ａの内側面に一端が固定され、かつ他端が前記ネックの中心軸方向に向けて延びる第四棒５４ｄとを有する構成とした。さらに、加速度センサを第一棒５４ａの裏面側のプレート５２と隣接される箇所Ａに固定して実施例１の弦楽器を得た。
【００４９】
［比較例１］
実施例１と同様の弦楽器本体を用い、プレート５２の裏面Ｂに実施例１と同様の加速度センサを固定して比較例１の弦楽器を得た。
【００５０】
［比較例２］
実施例１と同様の弦楽器本体を用い、響板５３の裏面における第四棒５４ｄよりも外側位置Ｃに実施例１と同様の加速度センサを固定して比較例２の弦楽器を得た。
【００５１】
前記実施例１及び比較例１、２において弦を振動させた場合のインパルス応答を測定した。その結果を図７に示す。
【００５２】
図７に示すように、比較例１の弦楽器は、弦の振動を素早く検出できるものの、出力する信号の減衰が早く、響板５３の特性を含む胴鳴り感のある音を出力し難いことが分かった。また、比較例２の弦楽器は、弦の振動に対する反応が遅いと共に、立ち上がりの早い信号を出力することも困難であることが分かった。これに対し、実施例１の弦楽器は、弦の振動を比較的素早く検出できると共に、出力される信号の減衰も抑制され、響板５３の特性を含む胴鳴り感のある音を出力できることが分かった。
【産業上の利用可能性】
【００５３】
以上説明したように、本発明の弦楽器は、響板の振動を阻害するのを抑制すると共に、響板の振動を的確に検出して電気信号に変換することができ、エレクトリックアコースティックギター等の弦楽器に好適に用いられる。
【符号の説明】
【００５４】
１、２１  弦楽器
２、５３  響板
３  ボディ
４、３２、４２、４７、５４  響棒
４ａ〜４ｄ、４２ａ〜４２ｊ、４７ａ〜４７ｌ、５４ａ〜５４ｄ  棒
５、２２、３１  振動センサ
６  ネック
７  ヘッド
８  ブリッジ
９  サドル
１０  弦
１１  ペグ
１２  ピン
１３  裏板
１４  側板
１５、４１、４６、５１  響孔
１６、５２  プレート
１７  補強板
３３、３４  支持部材
【図１】
0006417846.tif 000002
【図２】
0006417846.tif 000003
【図３】
0006417846.tif 000004
【図４】
0006417846.tif 000005
【図５】
0006417846.tif 000006
【図６】
0006417846.tif 000007
【図７】
0006417846.tif 000008